(57)【要約】【課題】停電復帰時の電力制御装置の立ち上がりを改善した衣類処理装置を提供する。【解決手段】主電源回路４５と補助電源回路１０９と衣類処理運転を実行する制御装置４３を備え、制御装置４３からの信号により待機電力モードと通常電力モードの切換指示を出力するＣＰＵ２２は、待機電力モードへの切換指示により、主電源回路４５への商用電力供給を遮断するとともに、ＣＰＵ２２自体を待機電力モードに移行し、補助電源回路１０９のトランス１１５の２次巻線１１７の電流低下による補助２次巻線１１８の電流低下により補助電源制御ＩＣ２１が補助電源回路１０９の間欠駆動停止を繰り返すように制御する電力制御装置を設けたことにより、停電復帰時、使用者の操作を待たずに、自動的に洗濯運転を停電時の状態から再開させることが可能となり、また、通常の洗濯運転後の待機電力を小さくすることが可能となる。【選択図】図２
2017077280.tif 000002
【特許請求の範囲】
【請求項１】
電源プラグから電源リレーを介して機器に電力を供給する制御電源回路と、衣類処理運転を実行し前記制御電源回路を介して給電される制御装置と、前記制御装置に接続される又は前記制御装置が備える不揮発性メモリと、使用者により操作されて電源切り指令を前記制御装置に入力する電源切り指令発生手段と、使用者により選択された運転コース指令を前記制御装置に入力する運転コース入力設定手段と、前記制御装置の信号により待機電力モードと通常電力モードの切換指示を出力するＣＰＵと、前記ＣＰＵに電力を供給する補助電源回路と、トランスとを備え、前記トランスは、前記補助電源回路の補助電源入力部に設けた１次巻線と、補助電源出力部に設けた２次巻線と、補助電源制御ＩＣを備えた補助電源モード切換制御部に設けた補助２次巻線とを有し、前記ＣＰＵは、前記待機電力モードへの切換指示により、前記制御電源回路への商用電力供給を遮断するとともに、前記ＣＰＵ自体を待機電力モードに移行し、前記２次巻線の電流低下による前記補助２次巻線の電流低下により前記補助電源制御ＩＣが前記補助電源回路の間欠駆動停止を繰り返すように制御する電力制御装置を設けたことを特徴とする衣類処理装置。
【請求項２】
前記制御装置は、衣類処理運転が開始されると、前記運転コース入力設定手段によって入力された運転内容やその進行状況を予め決められたタイミングで前記不揮発性メモリに記憶し、衣類処理運転が通常に終了する直前又は前記電源切り指令発生手段により電源切り指令が入力された時に前記不揮発性メモリに記憶された内容をクリアし、前記給電があったときには、前記不揮発性メモリに記憶された内容に基づいて衣類処理運転を再開することを特徴とする請求項１に記載の衣類処理装置。
【発明の詳細な説明】
【技術分野】
【０００１】
本発明は、ＣＰＵで待機電力モードと通常電力モードを切換え、待機中における消費電力を抑えた衣類処理装置に関するものである。
【背景技術】
【０００２】
従来、停電時及び停電復帰時の対策を講じた衣類処理装置として特許文献１に記載の洗濯機が知られている。特許文献１の洗濯機は、電源プラグに電源装置を介して運転制御回路を接続し、運転中に電源の停電が発生すると、運転制御回路が、電源の遮断（停電）を検知し、運転制御回路の電源を一時的に保持し、運転制御回路がその時点での運転状態を不揮発性メモリに記憶させ、停電復帰後、使用者がスタート・一時停止スイッチと電源入りスイッチとを操作すると、洗濯機運転を電源遮断前の状態から再開させる構成をとっていた。
【先行技術文献】
【特許文献】
【０００３】
【特許文献１】特開平７−２７５５６１号公報
【発明の概要】
【発明が解決しようとする課題】
【０００４】
しかしながら、前記従来の構成では、停電を検知して運転制御回路に不揮発性メモリへの記憶制御を実行させるため、停電検知手段を要する。また、停電が復帰しても使用者が所定のスイッチ操作をしない限りは運転が再開されず、運転再開が遅れるといった課題があった。
【０００５】
本発明は、停電復帰後、使用者が所定のスイッチ操作をしなくても、運転再開ができる構成を有する衣類処理装置を提供することを目的とする。
【課題を解決するための手段】
【０００６】
本発明の衣類処理装置は、電源プラグから電源リレーを介して機器に電力を供給する制御電源回路と、衣類処理運転を実行し前記制御電源回路を介して給電される制御装置と、前記制御装置に接続される又は前記制御装置が備える不揮発性メモリと、使用者により操作されて電源切り指令を前記制御装置に入力する電源切り指令発生手段と、使用者により選択された運転コース指令を前記制御装置に入力する運転コース入力設定手段と、前記制御装置の信号により待機電力モードと通常電力モードの切換指示を出力するＣＰＵと、前記ＣＰＵに電力を供給する補助電源回路と、トランスとを備え、前記トランスは、前記補助電源回路の補助電源入力部に設けた１次巻線と、補助電源出力部に設けた２次巻線と、補助電源制御ＩＣを備えた補助電源モード切換制御部に設けた補助２次巻線とを有し、前記ＣＰＵは、前記待機電力モードへの切換指示により、前記制御電源回路への商用電力供給を遮断するとともに、前記ＣＰＵ自体を待機電力モードに移行し、前記２次巻線の電流低下による前記補助２次巻線の電流低下により前記補助電源制御ＩＣが前記補助電源回路の間欠駆動停止を繰り返すように制御する電力制御装置を設けたことを特徴とする衣類処理装置である。
【０００７】
上記構成によれば、停電検知手段を用いることなく、停電復帰時には、使用者の操作を待たずに、自動的に洗濯運転を停電時の状態から再開させることができる。また、通常の洗濯運転終了後の待機電力を小さくすることが可能となる。さらに、停電検知手段が不要となる等により、電力制御装置の信頼性、ひいては衣類処理装置の信頼性を向上させるこ
とができる。
【０００８】
さらに、本発明の衣類処理装置は、上記構成において、前記制御装置は、衣類処理運転が開始されると、前記運転コース入力設定手段によって入力された運転内容やその進行状況を予め決められたタイミングで前記不揮発性メモリに記憶し、衣類処理運転が通常に終了する直前又は前記電源切り指令発生手段により電源切り指令が入力された時に前記不揮発性メモリに記憶された内容をクリアし、前記給電があったときには、前記不揮発性メモリに記憶された内容に基づいて衣類処理運転を再開することを特徴とする衣類処理装置である。
【０００９】
上記構成によれば、停電復帰後、使用者が所定のスイッチ操作をするといった動作を必要とすることなく、自動的に停電時の直前に記憶した状態から洗濯運転を開始することができる。
【発明の効果】
【００１０】
本発明に係る衣類処理装置は、停電検知手段を用いることなく、停電復帰時には、使用者の操作を待たずに、自動的に洗濯運転を停電時の状態から再開させることができる。また、電力制御装置の信頼性を向上することができる。
【図面の簡単な説明】
【００１１】
【図１】本発明の衣類処理装置の一実施の形態としての洗濯機の断面図
【図２】同洗濯機の電力制御装置のブロック回路図
【図３】同洗濯機の電力制御装置の制御装置の要部動作フローチャート
【発明を実施するための形態】
【００１２】
以下、図面を参照しつつ、衣類処理装置として例示される洗濯機が説明される。尚、以下の説明で用いられる「上」、「下」、「左」や「右」などの方向を表す用語は、単に、説明の明瞭化を目的とするものであり、衣類処理装置の原理を何ら限定するものではない。また、以下に洗濯機を例として説明する衣類処理装置の原理は、衣類を洗濯及び乾燥する能力を有する装置や衣類を乾燥する装置にも適用可能である。
【００１３】
（実施の形態１）
＜洗濯機の構成＞
図１は、本発明の一実施の形態の洗濯機１００の概略的な縦断面図である。図１を用いて、洗濯機１００が説明される。洗濯機１００は、筐体１１０と、筐体１１０内で衣類を収容する収容槽２００と、を備える。収容槽２００は、回転軸ＲＸを取り囲む略円筒形状の周壁２１１を有する回転ドラム２１０と、回転ドラム２１０を収容する水槽２２０と、を含む。筐体１１０は、収容槽２００へ衣類を投入するための投入口が形成された前壁１１１と、前壁１１１とは反対側の後壁１１２と、を備える。回転ドラム２１０及び水槽２２０は、前壁１１１に向けて開口する。
【００１４】
筐体１１０は、前壁１１１と後壁１１２との間で略水平に延びる筐体天壁１１３と、筐体天壁１１３とは反対側の筐体底壁１１４と、を含む。洗濯機１００は、蛇口（図示せず）に接続される給水口１４０と、給水口１４０を介して導入された水を分配するための分配部１４１と、を更に備える。給水口１４０は、後壁１１２に現れる。分配部１４１は、筐体天壁１１３と収容槽２００との間に配設され、分配部１４１の一部として給水弁３１０が用いられる。
【００１５】
洗濯機１００は、洗剤が収容される洗剤収容部（図示せず）を更に備える。分配部１４１は、収容槽２００、洗剤収容部に選択的に水を供給するための複数の給水弁を備える。
尚、図１において、洗剤収容部への給水経路は示されていない。収容槽２００及び洗剤収容部への給水に対して、既知の洗濯機に用いられている技術が好適に適用される。
【００１６】
洗濯機１００は、前壁１１１に取り付けられた扉体１２０を更に備える。扉体１２０は、前壁１１１に形成された投入口を閉塞する閉位置と投入口を開放する開位置との間で回動する。洗濯機１００は、水槽２２０の前部２２２と扉体１２０との間に配設されたパッキン構造１３０を更に備える。閉位置に回動された扉体１２０は、パッキン構造１３０を圧縮する。この結果、パッキン構造１３０は、扉体１２０と前部２２２との間で水密シール構造を形成する。使用者は、扉体１２０を開位置に回動させ、前壁１１１の投入口を通じて、衣類を収容槽２００へ投入することができる。その後、使用者は、扉体１２０を閉位置に移動させ、洗濯機１００に衣類を洗濯させることができる。尚、図１に示される扉体１２０は、閉位置に存する。
【００１７】
回転ドラム２１０は、前壁１１１と後壁１１２との間で延びる回転軸ＲＸ周りに回転する。収容槽２００に投入された衣類は、回転ドラム２１０の回転に伴って回転ドラム２１０内を移動し、洗い、すすぎ及び／又は脱水といった様々な処理を受ける。回転ドラム２１０は、閉位置にある扉体１２０に対向する底壁２１２を含む。水槽２２０は、回転ドラム２１０の底壁２１２及び周壁２１１の一部を取り囲む底部２２１と、底部２２１と扉体１２０との間で、回転ドラム２１０の周壁２１１の他の部分を取り囲む前部２２２と、を備える。
【００１８】
収容槽２００は、回転ドラム２１０の底壁２１２に取り付けられた回転シャフト２３０を含む。回転シャフト２３０は、回転軸ＲＸに沿って、後壁１１２に向けて延びる。回転シャフト２３０は、水槽２２０の底部２２１を貫通し、水槽２２０と後壁１１２との間に現れる。
【００１９】
洗濯機１００は、水槽２２０の下方に据え付けられたモータ２３１と、水槽２２０の外に露出した回転シャフト２３０に取り付けられたプーリ２３２と、モータ２３１の動力をプーリ２３２に伝達するためのベルト２３３と、を更に備える。モータ２３１が作動すると、モータ２３１の動力は、ベルト２３３、プーリ２３２及び回転シャフト２３０に伝達される。この結果、回転ドラム２１０は、水槽２２０内で回転する。
【００２０】
洗濯機１００は、操作パネル４００を更に備える。この操作パネル４００は、例えば前壁１１１に設けられていて、この操作パネル４００には、電源の入り切りと同時に、洗濯運転コースを選択することができるエンコーダスイッチ２５と、自動復帰形のプッシュスイッチからなる（洗濯時の）水温、脱水回転数など使用者によって洗濯運転の仕様を任意に選択することができるスイッチ群５０などが設けられている。
【００２１】
洗濯機１００は、制御部４１０を更に備える。前記制御部４１０は、例えば筐体天壁１１３の下に設けられている。制御部４１０は、制御装置４３等を内設しており、操作パネル４００のエンコーダスイッチ２５、スイッチ群５０および表示器群５１、モータ２３１、給水弁３１０、排水弁１０、フタ開閉センサ５２、回転センサ５３、水位センサ５４等と接続されており、それらとの間で情報をやりとりすることにより、洗濯運転を行う。
【００２２】
＜電力制御装置の構成および動作、作用＞
図２は、本発明の一実施の形態の洗濯機の電力制御装置の電気的構成を示しており、少なくとも制御装置４３と主電源回路４５（制御電源回路）と補助電源回路１０９から構成されている。
【００２３】
制御装置４３の内部には、マイクロコンピュータ（ＣＰＵ、ＲＯＭ、ＲＡＭなどを含む
）が内設されており、予め記憶されたプログラムを実行することで、洗濯機の作動全般を制御する洗濯運転制御手段、後述する記憶制御手段、停電復帰運転再開手段として機能するものである。
【００２４】
商用交流電源に接続された電源コンセント（図示せず）に接続される電源プラグ４４の一方の電源端子は主電源回路４５の一方の入力端子に接続され、他方の電源端子は電源リレー１５を介して主電源回路４５の他方の入力端子に接続されている。この主電源回路４５の両出力端子は制御装置４３の電源入力端子に接続されている。この結果、電源リレー１５は、電源プラグ４４と主電源回路４５との間の通電路４４ａ、４４ｂのうち通電路４４ｂに設けられている。
【００２５】
制御装置４３には、エンコーダスイッチ２５（使用者が選択した洗濯運転コースを入力する洗濯運転コーススイッチ２５Ａ）、スイッチ群５０、表示器群５１、扉体１２０の開閉を検知するフタ開閉センサ５２、モータ２３１の回転速度を検知する回転センサ５３、水槽２２０内の水位を検知する水位センサ５４、不揮発性メモリ５５が接続されている。さらに、この制御装置４３には電源リレー１５を駆動するための駆動回路１５Ａ、モータ２３１を駆動するための駆動回路２３１Ａ、排水弁１０を駆動するための駆動回路１０Ａ、水槽２２０内に給水する給水弁３１０を駆動するための駆動回路３１０Ａが接続されている。
【００２６】
不揮発性メモリ５５は、例えばＥＥＰＲＯＭなどにより構成されている。この不揮発性メモリ５５は前記制御装置４３が備えていても良い。制御装置４３の洗濯運転制御手段としての機能は、予め記憶された運転制御プログラムを実行することでモータ２３１や、排水弁１０、給水弁３１０を駆動制御して洗濯運転を実行するものであり、この場合の洗濯運転コースとしては、種々のコースがある。
【００２７】
一方、補助電源回路１０９は、補助電源入力部１０６と、補助電源出力部１０７と、補助電源モード切換制御部１０８とから構成されている。そして、補助電源回路１０９は、制御部を構成する、例えばＣＰＵ２２に電力を供給する。ＣＰＵ２２は、制御装置４３からの信号に基づいて、待機電力モードと通常電力モードの判断をし、それらのモードを記憶する。そして、電源リレー１５を介して、商用交流電源と主電源回路４５との接続および遮断を制御する。
【００２８】
補助電源入力部１０６の両入力端子は、エンコーダスイッチ２５の電源入り切りスイッチ２５Ｂを介して通電路４４ａ、４４ｂに接続されている。また、補助電源回路１０９は、補助電源入力部１０６に設けた１次巻線１１６と、補助電源出力部１０７に設けた２次巻線１１７と、補助電源制御素子を構成する、例えば補助電源制御ＩＣ２１を備えた補助電源モード切換制御部１０８に設けた補助２次巻線１１８から構成されるトランス１１５を備えている。
【００２９】
洗濯運転終了後、制御装置４３からの洗濯終了信号がＣＰＵ２２に送信されると、ＣＰＵ２２は、待機電力モードへの切換指示により、電源リレー１５を遮断し、主電源回路４５への商用交流電源の供給を遮断する。同時に、ＣＰＵ２２自体が低速モードである待機電力モードに移行する。さらに、トランス１１５の２次巻線１１７の電流低下による補助２次巻線１１８の電流低下により、補助電源モード切換制御部１０８の補助電源制御ＩＣ２１が補助電源回路１０９の間欠駆動停止を繰り返す待機電力モードとなる。
【００３０】
これにより、待機電力を限りなくゼロに近づけることができる。その結果、待機電力を大幅に低減できる電力制御装置およびそれを備えた機器を実現できる。
【００３１】
＜待機電力モードの動作原理＞
上述＜電力制御装置の構成および動作、作用＞の待機電力モードについて説明する。制御装置４３からＣＰＵ２２へ送信される信号が待機電力モードに移行させる条件になると、ＣＰＵ２２は、高速モードから低速モードに移行し、トランス１１５の２次巻線１１７側の電力負荷が小さくなる。
【００３２】
つまり、洗濯運転終了後、制御装置４３から機器の使用終了についての信号をＣＰＵ２２が受電すると、ＣＰＵ２２自ら高速モードから低速モードに移行する。これにより、トランス１１５の２次巻線１１７に流れる電流がＩａからＩｂに減少し、待機電力が減少する。さらに、トランス１１５の補助２次巻線１１８に流れる電流もＩｃからＩｄに変化する。例えば、補助電源制御ＩＣ２１のＦＢ端子にかかる電圧ＶＦＢの、通常動作時（トランス１１５の２次巻線１１７に流れる電流がＩａの場合）における電圧ＶＦＢ１は、ＶＦＢ１＝（Ｒ２＋Ｒ３）×Ｉｃとなる。
【００３３】
一方、ＣＰＵ２２が２次側負荷を遮断すると、トランス１１５の２次巻線１１７に流れる電流がＩａからＩｂに減少する待機電力モード動作に移行する。このとき、待機電力モード動作時の補助電源制御ＩＣ２１のＦＢ端子にかかる電圧ＶＦＢ２は、ＶＦＢ２＝（Ｒ２＋Ｒ３）×Ｉｄとなる。そして、補助電源制御ＩＣ２１のＦＢ端子にかかる電圧ＶＦＢ２が、所定の電圧Ｖｒｅｆよりも低下すると、補助電源制御ＩＣ２１自体が待機電力モードとなるように作用する。
【００３４】
すなわち、ＣＰＵ２２が低速モードとなり、かつ補助電源モード切換制御部１０８により補助電源制御ＩＣ２１自体が待機電力モードになると、補助電源制御ＩＣ２１が間欠駆動停止を繰り返す待機電力モードに移行する。なお、補助電源制御ＩＣ２１のＦＢ端子にかかる電圧ＶＦＢ２が、所定の電圧Ｖｒｅｆよりも低下すると、補助電源制御ＩＣ２１自体が待機電力モードとなるように、補助２次巻線１１８の出力電流Ｉｄ、抵抗Ｒ１、Ｒ２、Ｒ３を適切に設定してあることはいうまでもない。
【００３５】
以上で説明したように、本実施の形態の洗濯機の電力制御装置は、制御装置４３からの信号により通常電力モードから待機電力モードへ移行させる条件になると、まず、ＣＰＵ２２は主電源回路４５への商用交流電力供給を遮断する。同時に、ＣＰＵ２２自体が低速モードである待機電力モードに移行する。そして、トランス１１５の２次巻線１１７の電流低下によるトランス１１５の補助２次巻線１１８の電流低下により、補助電源モード切換制御部１０８の補助電源制御ＩＣ２１が、補助電源回路１０９の間欠駆動停止を繰り返す待機電力モードとなる。
【００３６】
これにより、主電源回路４５への商用交流電源の供給が遮断されて、待機電力モード時において、主電源回路４５および主電源回路４５の出力側負荷である制御装置４３での電力消費がなくなる。また、補助電源回路１０９が間欠駆動停止を繰り返す待機電力モードになることにより、待機電力は、約０．００４ワット程度と限りなくゼロに近い値まで低減する。その結果、待機電力を大幅に低減できる電力制御装置およびそれを備えた機器（衣類処理装置）を実現できる。
【００３７】
＜電力制御装置の要部動作フロー＞
図２に示した本実施の形態の洗濯機の電力制御装置の動作、特に停電復帰時の動作について、以下に説明する。制御装置４３は、図３に示すように動作する。この図３のフローチャートに示す動作は、使用者がエンコーダスイッチ２５（電源入り切りスイッチ２５Ｂ）をＯＮしたときに開始される。
【００３８】
ステップＳ１では、電源プラグ４４が受電しているか否かを判断し、「ＹＥＳ」であれ
ば、ステップＳ２で、エンコーダスイッチ２５（電源入り切りスイッチ２５Ｂ）がオンしているか否かを判断する。ステップＳ１で「ＮＯ」であれば、電源プラグ４４が受電（停電が復帰）するまで、ステップＳ１の判断を繰り返す。ステップＳ２で「ＹＥＳ」であれば、ＣＰＵ２２から電源リレー１５のオン信号が出力され（ステップＳ３）、ステップＳ４でＣＰＵ２２のメモリに記憶内容が残存しているか否かを判断する。ステップＳ２で「ＮＯ」であれば、使用者からのエンコーダスイッチ２５（電源入り切りスイッチ２５Ｂ）の指令があるまで、前述したステップＳ１の判断を繰り返す。
【００３９】
ステップＳ４で「ＹＥＳ」であれば、停電復帰からの運転となる。電力制御装置の不揮発性メモリ５５の記憶内容に応じて洗濯運転が再開され（ステップＳ１０）、ステップＳ７に移行する。ステップＳ４で「ＮＯ」であれば、通常の運転開始の動作となり、ステップＳ５で、使用者からのスタート指令があるか否かを判断する。ステップＳ５で「ＹＥＳ」であれば（使用者からのスタート指令あり）、洗濯運転を開始し（ステップＳ６）、ステップＳ７に移行する。ステップＳ７では、設定されたタイミングで、順次、電力制御装置の不揮発性メモリ５５に運転状況を記憶し、次のステップＳ８では電源プラグ４４が受電しているか否かを判断する。
【００４０】
ステップＳ８で「ＮＯ」（停電発生）であれば、ＣＰＵ２２から電源リレー１５のオン信号が出力されないため、電源リレー１５は遮断され（ステップＳ９）、ステップＳ１へ移行し、電源プラグ４４が受電（停電が復帰）するまで、前述したステップＳ１の判断を繰り返す。ステップＳ８で「ＹＥＳ」であれば、ステップＳ１１へ移行し、洗濯運転が終了したか否かを判断する（ステップＳ１１）。
【００４１】
ステップＳ１１で「ＹＥＳ」（通常運転終了）であれば、電力制御装置の不揮発性メモリ５５の内容をクリアし（ステップＳ１２）、ＣＰＵ２２のメモリには洗濯運転が終了したことを記憶する（ステップＳ１３）。ステップＳ１３において、ＣＰＵ２２は通常電力モードから待機電力モードに移行する。次に、ステップＳ１４で電源リレー１５を遮断することにより、待機電力を限りなくゼロに近づけることができる。ステップＳ１５では、使用者がエンコーダスイッチ２５（電源入り切りスイッチ２５Ｂ）をオフするか否かを判断する。ステップＳ１５で「ＹＥＳ」であれば、洗濯運転終了状態となる。ステップＳ１５で「ＮＯ」であれば、使用者がエンコーダスイッチ２５（電源入り切りスイッチ２５Ｂ）をオフするまで、ステップＳ１５の判断を繰り返す。
【００４２】
ステップＳ１１で「ＮＯ」であれば、ステップＳ１６に移行する。ステップＳ１６では、使用者が電源切り指令発生手段であるエンコーダスイッチ２５（電源入り切りスイッチ２５Ｂ）をオフするか否かを判断する。ステップＳ１６で「ＹＥＳ」であれば、使用者の意図により洗濯運転が強制的に終了されたことになり、電力制御装置の不揮発性メモリ５５の内容をクリアする（ステップＳ１７）。次にステップＳ１８に移行し、ＣＰＵ２２のメモリの内容をクリアし（ステップＳ１８）、電源リレー１５を遮断し（ステップＳ１９）、通常の洗濯運転終了時と同じ状態となる。ステップＳ１６で「ＮＯ」であれば、ステップＳ７に戻り、設定されたタイミングで、電力制御装置の不揮発性メモリ５５に運転状況を記憶し、次のステップＳ８で、電源プラグ４４が受電しているか否かの判断を繰り返す。
【産業上の利用可能性】
【００４３】
以上のように、本発明にかかる衣類処理装置は、停電検知手段を用いることなく、停電復帰後、使用者が所定のスイッチ操作をしなくても運転再開ができるため、上記実施の形態の洗濯機に限定されるものではなく、例えば、スイッチ装置としては、上記構成に限られず、種々変更して実施することができる。
【符号の説明】
【００４４】
１５  電源リレー
２１  補助電源制御ＩＣ
２２  ＣＰＵ
２５  エンコーダスイッチ
２５Ａ  洗濯運転コーススイッチ（運転コース入力設定手段）
２５Ｂ  電源入り切りスイッチ（電源切り指令発生手段）
４３  制御装置
４４  電源プラグ
４５  主電源回路（制御電源回路）
５５  不揮発性メモリ
１０６  補助電源入力部
１０７  補助電源出力部
１０８  補助電源モード切換制御部
１０９  補助電源回路
１１５  トランス
１１６  １次巻線
１１７  ２次巻線
１１８  補助２次巻線
【図１】
2017077280.tif 000003
【図２】
2017077280.tif 000004
【図３】
2017077280.tif 000005